(57)【要約】【課題】  施工効率が良く、上下方向に積み上げられる軽量盛土用パネルの出入り調整を必要としない軽量盛土用パネルの取付金具を提供すること。【解決手段】  上下方向に積み上げられる軽量盛土用パネルの横目地に用いられる取付金具であって、下側の軽量盛土用パネルにおける横目地部の凹状係合部に係合させる上部保持部と、上側の軽量盛土用パネルにおける横目地部の凹状係合部に係合させる下部保持部と、上側の軽量盛土用パネル又は下側の軽量盛土用パネルの一方に固定部材を固定する固定部と、上側の軽量盛土用パネル又は下側の軽量盛土用パネルの他方に軽量盛土用パネルから離れた位置に設けられる保持部と連結される連結具を保持する保持部と、を備えている。【選択図】  図１
2019060141.tif 000002
【特許請求の範囲】
【請求項１】
上下方向に積み上げられる軽量盛土用パネルの横目地部に配置される取付金具であって、
前記取付金具の外側に、前記軽量盛土用パネルに係合させるパネル係合部を備え、
前記取付金具の内側に、前記軽量盛土用パネルに固定される金具固定部と、前記軽量盛土用パネルから軽量盛土方向に離れて設けられた支持部と連結される連結具が保持される連結具保持部と、を備え、
前記パネル係合部は、下側の前記軽量盛土用パネルに係合させる下部係合部と、上側の前記軽量盛土用パネルに係合させる上部係合部と、を有している、
ことを特徴とする軽量盛土用パネルの取付金具。
【請求項２】
板材の外側を一方に屈曲させて形成した前記上部係合部と、
板材の外側を他方に屈曲させて形成した前記下部係合部と、
板材の内側を一方に屈曲させて形成した前記金具固定部と、
板材の内側を他方に屈曲させて形成した前記連結具保持部とが、
１枚の金属板材の曲げ加工によって形成されている、
請求項１に記載の軽量盛土用パネルの取付金具。
【請求項３】
前記金具固定部は、固定ボルト孔を有し、
前記連結具保持部は、保持ボルト孔を有し、
前記固定ボルト孔に螺合して前記軽量盛土用パネルの内面に固定する固定ボルトと、
前記保持ボルト孔に螺合して前記連結具を保持する保持ボルトと、
をさらに備えている、
請求項１又は２に記載の軽量盛土用パネルの取付金具。
【請求項４】
上下方向に積み上げられる軽量盛土用パネルの取付構造であって、
前記軽量盛土用パネルは、横目地部に凹状係合部を有しており、
下側の前記軽量盛土用パネルの凹状係合部に係合させる下部係合部と上側の前記軽量盛土用パネルの凹状係合部に係合させる上部係合部とを有する取付金具で上下に積み上げられる前記軽量盛土用パネルが横目地部で保持され、
前記取付金具が前記軽量盛土用パネルの内面に固定され、
前記取付金具から軽量盛土方向に延設される連結具が、前記軽量盛土用パネルから軽量盛土方向に離れて設けられた支持部に連結されている、
ことを特徴とする軽量盛土用パネルの取付構造。
【請求項５】
前記軽量盛土用パネルの縦方向長さは、前記凹状係合部よりも内面側が少なくとも前記取付金具の厚みの分で短く形成されている、
請求項４に記載の軽量盛土用パネルの取付構造。
【請求項６】
前記軽量盛土用パネルの横目地部における前記凹状係合部よりも内面側に板間パッキング材が挟まれており、
前記軽量盛土用パネルの縦目地部における内面側に板間封止材が取り付けられている、
請求項４又は５に記載の軽量盛土用パネルの取付構造。
【請求項７】
前記軽量盛土用パネルが押出成形セメント板である、
請求項４〜６のいずれか１項に記載の軽量盛土用パネルの取付構造。
【発明の詳細な説明】
【技術分野】
【０００１】
本発明は、路盤構築に用いられる軽量盛土用パネルの取付金具とそれを用いた取付構造に関する。
【背景技術】
【０００２】
従来、軟弱地盤や急斜面地などの地山における道路の路盤構築や拡幅に軽量盛土工法が用いられている。軽量盛土工法では、軽量盛土用パネルで路盤の壁面を構築し、地山等との間に発泡スチロールブロックを積み上げたり、気泡モルタルコンクリート（以下、単に「気泡モルタル」という）を打設して路盤を構築している。この発泡スチロールブロックや気泡モルタルが、路盤の盛土となる。
【０００３】
発泡スチロールブロックを積み上げる構造では、軽量盛土用パネルに直接荷重が作用することがないが、気泡モルタルを用いる工法では、打設した気泡モルタルが硬化するまでその荷重に耐えなければならないため、軽量盛土用パネルや取付金具にその荷重に耐える強度が求められる。
【０００４】
この種の先行技術として、例えば、盛土用の壁面を形成するパネルとして押出成形セメント板を用い、上下の押出成形セメント板の中空部に設けた連結部材で押出成形セメント板同士を連結し、その連結部材を盛土内部に埋設されるアンカー部で支持するものがある（例えば、特許文献１参照）。
【０００５】
また、作業場所の制約や、施工効率から現場での加工などをなくすために、パネルに予め金具を埋設し孔空け加工を必要としない取付構造が用いられる場合もある。例えば、この種の先行技術として、壁面構築用の型枠パネルの内側に予め連結具を埋設し、下側の型枠パネルの上側に設けられた連結具と上側の型枠パネルの下側に設けられた連結具とに連結部材を係合させるものがある。そして、連結部材が固定された連結固定具を地山側に立設された支柱に固定して型枠パネルを積み上げるようにしている（例えば、特許文献２参照）。
【先行技術文献】
【特許文献】
【０００６】
【特許文献１】特開平６−３４１１５１号公報
【特許文献２】特開２０００−２２０１５６号公報
【発明の概要】
【発明が解決しようとする課題】
【０００７】
しかしながら、上記特許文献１では、押出成形セメント板の中空部形状に合わせた大きさの連結部材が必要であるとともに、連結部材と係合部を結合する金具の強度も必要となり、金具のコストがアップする。また、中空部のみで押出成形セメント板を保持するため、中空部や金具の精度によっては壁面の外面側における面精度が出ないおそれがある。なお、面精度とは、上下左右のパネル間における外面側の出入りの精度をいう。
【０００８】
さらに、上記特許文献２では、型枠パネルの製造時に予め裏面に連結具を埋設してコンクリートを流し込む必要があるため、製造効率が悪くコストと時間を要する。また、予め連結具を埋設するため連結具の位置が限定され、型枠パネルの取付位置に制約がある。さらに、型枠パネルの幅や長さを調整するために切断した場合には、取り付けが難しくなるなど施工上の制約がある。
【０００９】
また、いずれの先行技術でも、例えば、壁面の表面側における面精度を調整する必要がある場合、上下それぞれのパネルの位置を調整ボルトやスペーサなどを介して行う必要があり、労力と時間を要する。その上、左右の板間、壁面全体の調整が必要な場合には、さらに施工に労力と時間を要する。
【００１０】
そこで、本発明は、施工効率が良く、上下方向に積み上げられる軽量盛土用パネルの出入り調整を必要としない軽量盛土用パネルの取付金具とそれを用いた取付構造を提供することを目的とする。
【課題を解決するための手段】
【００１１】
上記目的を達成するために、本発明に係る軽量盛土用パネルの取付金具は、上下方向に積み上げられる軽量盛土用パネルの横目地部に配置される取付金具であって、前記取付金具の外側に、前記軽量盛土用パネルに係合させるパネル係合部を備え、前記取付金具の内側に、前記軽量盛土用パネルに固定される金具固定部と、前記軽量盛土用パネルから軽量盛土方向に離れて設けられた支持部と連結される連結具が保持される連結具保持部と、を備え、前記パネル係合部は、下側の前記軽量盛土用パネルに係合させる下部係合部と、上側の前記軽量盛土用パネルに係合させる上部係合部と、を有している。この明細書及び特許請求の範囲の書類中における「外側」は、軽量盛土用パネルの外面側をいい、「内側」は、軽量盛土用パネルの内面側をいう。
【００１２】
この構成により、下部係合部を下側の軽量盛土用パネルに係合させ、上部係合部を上側の軽量盛土用パネルに係合させれば、下側の軽量盛土用パネルの上に積み上げられる上側の軽量盛土用パネルの出入り方向を一致させることができる。すなわち、取付金具に上下方向に積み上げられる軽量盛土用パネルを係合させることで外面を面一にできるので、上下方向に積み上げられる軽量盛土用パネルの出入り調整が必要なくなり、施工効率の向上を図れる。
【００１３】
また、板材の外側を一方に屈曲させて形成した前記上部係合部と、板材の外側を他方に屈曲させて形成した前記下部係合部と、板材の内側を一方に屈曲させて形成した前記金具固定部と、板材の内側を他方に屈曲させて形成した前記連結具保持部とが、１枚の金属板材の曲げ加工によって形成されていてもよい。
【００１４】
このように構成すれば、１枚の金属板材からプレス機による曲げ加工によって強度の高い取付金具を形成することができる。しかも、取付金具を曲げ加工で容易に製作することができ、取付金具を低コストで製作できる。曲げ加工は、例えば、下部係合部と金具固定部とが対向配置され、上部係合部と連結具保持部とが対向配置されるようにしても、上部係合部と金具固定部とが対向配置され、下部係合部と連結具保持部とが対向配置されるようにしてもよい。
【００１５】
また、前記金具固定部は、固定ボルト孔を有し、前記連結具保持部は、保持ボルト孔を有し、前記固定ボルト孔に螺合して前記軽量盛土用パネルの内面に固定する固定ボルトと、前記保持ボルト孔に螺合して前記連結具を保持する保持ボルトと、をさらに備えていてもよい。
【００１６】
このように構成すれば、下部係合部を下側の軽量盛土用パネルに係合させ、上部係合部を上側の軽量盛土用パネルに係合させ、金具固定部の固定ボルト孔に固定ボルトを螺合すれば取付金具を軽量盛土用パネルに固定することができる。そして、連結具保持部の保持ボルト孔に保持ボルトを螺合すれば取付金具の取り付けが完了する。よって、取付金具の取付効率向上を図れる。
【００１７】
一方、本発明に係る軽量盛土用パネルの取付構造は、上下方向に積み上げられる軽量盛土用パネルの取付構造であって、前記軽量盛土用パネルは、横目地部に凹状係合部を有しており、下側の前記軽量盛土用パネルの凹状係合部に係合させる下部係合部と上側の前記軽量盛土用パネルの凹状係合部に係合させる上部係合部とを有する取付金具で上下に積み上げられる前記軽量盛土用パネルが横目地部で保持され、前記取付金具が前記軽量盛土用パネルの内面に固定され、前記取付金具から軽量盛土方向に延設される連結具が、前記軽量盛土用パネルから軽量盛土方向に離れて設けられた支持部に連結されている。
【００１８】
この構成により、取付金具の下部係合部を下側の軽量盛土用パネルの凹状係合部に係合させ、取付金具の上部係合部を上側の軽量盛土用パネルの凹状係合部に係合させ、この取付金具を連結具で軽量盛土方向に離れて設けられた支持部に連結することで、取付金具で上下方向に積み上げられる軽量盛土用パネルの面精度を保った状態で適切な位置に壁面を構築することができる。
【００１９】
また、前記軽量盛土用パネルの縦方向長さは、前記凹状係合部よりも内面側が少なくとも前記取付金具の厚みの分で短く形成されていてもよい。
【００２０】
このように構成すれば、上下方向に積み上げられる軽量盛土用パネルの間に取付金具を設けた状態で、軽量盛土用パネルの外面が連なるように積み上げられるので、目地処理が不要となり、軽量盛土用パネルの積み上げ作業が効率良く行える。
【００２１】
また、前記軽量盛土用パネルの横目地部における前記凹状係合部よりも内面側に板間パッキング材が挟まれており、前記軽量盛土用パネルの縦目地部における内面側に板間封止材が取り付けられていてもよい。
【００２２】
このように構成すれば、板間パッキング材と板間封止材とによって軽量盛土中の水などが軽量盛土用パネルの表面側に流れ出るのを抑止し、軽量盛土用パネルの壁面が汚れることを抑止できる。軽量盛土に気泡モルタルを用いた場合、エフロエッセンスや水が軽量盛土用パネルの表面側に流れ出ることを抑止できる。
【００２３】
また、前記軽量盛土用パネルが押出成形セメント板であってもよい。
【００２４】
このように構成すれば、所望の形状の凹状係合部を有する軽量盛土用パネルを容易に製造することができる。
【発明の効果】
【００２５】
本発明によれば、上下方向に積み上げられる軽量盛土用パネルの出入り方向を取付金具で一致させることができるので、積み上げられる軽量盛土用パネルの出入り調整を不要とすることが可能となる。よって、軽量盛土用パネルの施工効率向上を図ることが可能となる。
【図面の簡単な説明】
【００２６】
【図１】図１は、本発明の第１実施形態に係る第１取付金具を示す斜視図であり、（Ａ）は外側の上方から見た斜視図、（Ｂ）は内側の上方から見た斜視図である。
【図２】図２は、本発明の第２実施形態に係る第２取付金具を示す斜視図であり、（Ａ）は外側の上方から見た斜視図、（Ｂ）は内側の上方から見た斜視図である。
【図３】図３は、図１に示す第１取付金具を用いた軽量盛土用パネルの取付構造による路盤構築例を示す縦断面図である。
【図４】図４は、図１に示す取付金具の使用状態を示す軽量盛土用パネルの積み上げ部分の側面図である。
【図５】図５は、本発明の一実施形態に係る軽量盛土用パネルの取付構造の下部を示す縦断面図である。
【図６】図６は、本発明の一実施形態に係る軽量盛土用パネルの取付構造の中間部と上部を示す縦断面図である。
【図７】図７は、図６に示すVII−VII矢視の断面図である。
【発明を実施するための形態】
【００２７】
以下、本発明の実施形態を図面に基づいて説明する。以下の実施形態では、軽量盛土用パネル３０を用いて地山１００の急傾斜地に道路の路盤構築を行う例を説明する。以下の実施形態では、軽量盛土用パネル３０として押出成形セメント板を例に説明する。この明細書及び特許請求の範囲の書類中における上下左右方向の概念は、図３に示すように軽量盛土用パネル３０を積み上げて形成された壁面５に向かった状態における上下左右方向の概念と一致するものとする。
【００２８】
（取付金具の実施形態）
図１は、第１実施形態に係る第１取付金具１０を示す斜視図であり、（Ａ）は外側の上方から見た斜視図、（Ｂ）は内側の上方から見た斜視図である。図２は、第２実施形態に係る第２取付金具２０を示す斜視図であり、（Ａ）は外側の上方から見た斜視図、（Ｂ）は内側の上方から見た斜視図である。第１取付金具１０及び第２取付金具２０は、図示する状態での使用と、上下方向を逆向きにした使用のいずれでも使用可能であるが、以下の説明では図示する状態で使用する例を説明する。
【００２９】
図１（Ａ）、（Ｂ）に示すように、第１実施形態に係る第１取付金具１０は、外側に、軽量盛土用パネル３０（図４）に係合させるパネル係合部１１を備え、内側に、軽量盛土用パネル３０に固定される金具固定部１２と連結具たるセパレートボルト６０（図５〜図７）が保持される連結具保持部１３とを備えている。パネル係合部１１は、下側の軽量盛土用パネル３０に係合させる下部係合部１１ａと、上側の軽量盛土用パネル３０に係合させる上部係合部１１ｂと、を有している。
【００３０】
第１取付金具１０は、１枚の板材１６から形成されている。この例では、板材１６の外側の幅方向両端部を下向き（一方）に屈曲させて下部係合部１１ａが形成され、板材１６の外側の幅方向中央部を上向き（他方）に屈曲させて上部係合部１１ｂが形成されている。また、板材１６の内側の幅方向両端部を上向き（他方）に屈曲させて金具固定部１２が形成され、板材１６の内側の幅方向中央部を下向き（一方）に屈曲させて連結具保持部１３が形成されている。上部係合部１１ｂと金具固定部１２との間隔Ｗ１と、下部係合部１１ａと連結具保持部１３との間隔Ｗ１は同じ寸法となっている。間隔Ｗ１は、後述する軽量盛土用パネル３０の凹状係合部３２と内面３３との寸法Ｖよりも大きい寸法となっている。
【００３１】
また、上記金具固定部１２には、内側から外側に向けて後述する固定ボルト４０（図４）を螺合する固定ボルト孔１４が設けられている。さらに、上記連結具保持部１３には、内側から外側に向けて後述する保持ボルト４１（図４）を螺合する保持ボルト孔１５が設けられている。
【００３２】
図２（Ａ）、（Ｂ）に示す第２実施形態に係る第２取付金具２０は、上記第１取付金具１０とは、外側に備えさせるパネル係合部２１が異なる。上記第１取付金具１０とは、内側に備えさせる金具固定部１２と連結具保持部１３は同一であるが、２０番台の符号を付して説明する。
【００３３】
第２取付金具２０のパネル係合部２１は、外側の幅方向両端部を上向き（他方）に屈曲させて上部係合部２１ｂが形成され、外側の幅方向中央部を下向き（一方）に屈曲させて下部係合部２１ａが形成されている。その他の構成は、上記第１取付金具１０と同一であり、第２取付金具２０の符号を付して説明は省略する。
【００３４】
第２取付金具２０も、１枚の板材２６から形成されている。この例では、板材２６の外側の幅方向両端部を上向きに屈曲させて上部係合部２１ｂが形成され、板材２６の外側の幅方向両端部を下向きに屈曲させて下部係合部２１ａが形成されている。また、板材２６の内側の幅方向両端部を上向きに屈曲させて金具固定部２２が形成され、板材２６の内側の幅方向中央部を下向きに屈曲させて連結具保持部２３が形成されている。これにより、第２取付金具２０は、外側の上部係合部２１ｂと内側の金具固定部２２とが対向し、外側の下部係合部２１ａと内側の連結具保持部２３とが対向するようになっている。上部係合部２１ｂと金具固定部２２との間隔Ｗ２と、下部係合部２１ａと連結具保持部２３との間隔Ｗ２は同じ寸法となっている。間隔Ｗ２は、後述する軽量盛土用パネル３０の凹状係合部３２と内面３３との寸法Ｖよりも大きい寸法となっている。この第２取付金具２０も、金具固定部２２に固定ボルト孔２４が設けられ、連結具保持部２３に保持ボルト孔２５が設けられている。
【００３５】
第１取付金具１０及び第２取付金具２０を１枚の金属板材から形成する場合、プレス機による曲げ加工によって容易に製作することができる。また、第１取付金具１０及び第２取付金具２０を１枚の金属板材から形成すれば、溶接などによる後付けの組み合わせ加工に比べて耐久性や精度を向上させることができ、コストも抑えることができる。
【００３６】
なお、上記第１取付金具１０及び第２取付金具２０の形状は一例であり、上部係合部１１ｂ，２１ｂ及び下部係合部１１ａ，２１ａの数や位置、金具固定部１２，２２及び連結具保持部１３，２３の数や位置を異ならせることは可能であり、取付金具の構成は上記例に限定されるものではない。
【００３７】
（軽量盛土用パネルの取付構造例）
図３は、図１に示す第１取付金具１０を用いた軽量盛土用パネル３０の取付構造１による路盤構築例を示す縦断面図である。この例は、地山１００の傾斜地に軽量盛土として気泡モルタル７０を用いて道路面となる床板７１を敷設する路盤を構築する例である。道路を構築する部分には、気泡モルタル７０で路盤を構築する部分の外側部分に基礎コンクリート７２が設けられ、基礎コンクリート７２に支持部たる支持支柱８０が所定間隔で設けられる。支持支柱８０は、紙面と直交する方向に所定間隔で設けられる。
【００３８】
軽量盛土用パネル３０は、支持支柱８０に対して気泡モルタル７０を打設する部分と反対方向に離れて設けられる。上下方向に積み上げられる軽量盛土用パネル３０は、後述するように上記取付金具１０によって保持され、取付金具１０は、後述するように連結具たるセパレートボルト６０によって支持部たる支持支柱８０に連結される。そして、軽量盛土用パネル３０と地山１００との間に気泡モルタル７０が打設される。
【００３９】
軽量盛土用パネル３０の積み上げは、打設する気泡モルタル７０の量に応じて順次行われる。すなわち、軽量盛土として気泡モルタル７０を用いる場合、軽量盛土用パネル３０は最下部から順次施工していくが、一定段数の軽量盛土用パネル３０を積み上げた後（例えば、１段毎、２段毎など）、気泡コンクリートを打設して硬化させる。その後、次の軽量盛土用パネル３０を積み上げた後、再び気泡コンクリートを打設して硬化させる、という作業を繰り返す方法で施工される。この作業を繰り返すことで軽量盛土用パネル３０によって壁面５が形成され、軽量盛土用パネル３０と地山１００との間に所定高さの路盤が構築される。そして、気泡モルタル７０で形成された路盤の上部に、道路面となるコンクリート製の床板７１が敷設される。
【００４０】
なお、軽量盛土として発泡スチロールブロックを用いる場合、気泡モルタル７０のように硬化することを待つことなく、軽量盛土用パネル３０の積み上げと発泡スチロールブロックの積み上げ作業を連続的に繰り返して行うことができる。
【００４１】
（軽量盛土用パネルの取付構造）
図４は、図１に示す第１取付金具１０の使用状態を示す軽量盛土用パネル３０の積み上げ部分の側面図である。図は、壁面５の中間部分において軽量盛土用パネル３０を積み上げるときの状態を示している。この実施形態の軽量盛土用パネル３０は押出成形セメント板が用いられており、押出し方向に連続する中空部３１がある。この例では、中空部３１が横方向に延びるように用いられている。軽量盛土用パネル３０の上端部及び下端部には、凹状係合部３２がそれぞれ設けられている。凹状係合部３２は、軽量盛土用パネル３０の内面３３とほぼ平行に形成されており、軽量盛土用パネル３０の内面３３から寸法Ｖで形成されている。軽量盛土用パネル３０を押出成形セメント板とすることで、中空部３１と同時に凹状係合部３２を容易に形成することができる。
【００４２】
また、軽量盛土用パネル３０の高さ方向の寸法は、凹状係合部３２が設けられた部分から内側の高さ寸法Ｈ２（縦方向長さ）が、軽量盛土用パネル３０の外側の高さ寸法Ｈ１（縦方向長さ）に対して小さくなっている。内側の高さ寸法Ｈ２は、第１取付金具１０の厚みと板間パッキング材３５の厚みの半分の厚みＴだけ小さくなっている。これにより、上下に軽量盛土用パネル３０を積み上げた状態で、上下の軽量盛土用パネル３０の外面が連なるように積み上げられるので、目地処理が不要となる。すなわち、軽量盛土用パネル３０を積み上げるときに、凹状係合部３２の内側に第１取付金具１０と板間パッキング材３５を挟んだ状態で、上下に積まれた軽量盛土用パネル３０の外面が連なった状態となるので、目地処理が不要となって軽量盛土用パネル３０の積み上げ作業を効率よく行うことができる。軽量盛土用パネル３０を押出成形セメント板とすれば、このような高さ方向の寸法差も容易に異ならせることができる。
【００４３】
図４に示す状態は、下側軽量盛土用パネル３０が所定位置に配置され、その上端部に第１取付金具１０が配置されている。第１取付金具１０は、外側の下部係合部１１ａが軽量盛土用パネル３０の上端部に形成された凹状係合部３２に係合された状態で配置される。第１取付金具１０は、下側軽量盛土用パネル３０の横方向の一部に配置されるため、第１取付金具１０のない横目地部６の部分には厚みのある板間パッキング材３５が設けられる。また、第１取付金具１０の上面には薄い板間パッキング材３５が設けられる。
【００４４】
上記第１取付金具１０の間隔Ｗ１は、軽量盛土用パネル３０の凹状係合部３２から内面３３までの寸法Ｖに対して大きく形成されており、図では上記第１取付金具１０を図１に示す状態で取り付けているため、軽量盛土用パネル３０の内側には、上方に金具固定部１２が位置し、下方に連結具保持部１３が位置している。この連結具保持部１３の保持ボルト孔１５に保持ボルト４１が螺合されて、第１取付金具１０の下部が下側の軽量盛土用パネル３０に固定される。保持ボルト４１は、リング状部４１ａを有している。
【００４５】
そして、上側の軽量盛土用パネル３０が下側の軽量盛土用パネル３０の上部に積み上げられる。この時、上側の軽量盛土用パネル３０の凹状係合部３２が第１取付金具１０の上部係合部１１ｂに係合される（二点鎖線）。その後、金具固定部１２の固定ボルト孔１４に固定ボルト４０が螺合されて、第１取付金具１０の上部が上側の軽量盛土用パネル３０に固定される。これにより、上下方向に積み上げられる軽量盛土用パネル３０の外側面によって形成される壁面５の面精度を保つことができる。そして、軽量盛土用パネル３０は、第１取付金具１０の出入り調整によって左右の軽量盛土用パネル３０間の出入りと全体の出入り方向の位置決めがなされる。
【００４６】
（軽量盛土用パネルの取付構造）
図５は、一実施形態に係る軽量盛土用パネル３０の取付構造１の下部を示す縦断面図である。図６は、一実施形態に係る軽量盛土用パネル３０の取付構造１の中間部と上部を示す縦断面図である。図７は、図６に示すVII−VII矢視の断面図である。なお、図７では第１取付金具１０を断面にせずに示している。
【００４７】
まず、図５に基づいて、上記図３に示す軽量盛土用パネル３０の取付構造１における下部について説明する。軽量盛土用パネル３０の取付構造１における下部には、基礎コンクリート７２に支持支柱８０の基礎材８６（例えば、Ｃ型鋼材）が埋設される。そして、基礎コンクリート７２の硬化後、基礎材８６の上部に支持支柱８０（例えば、Ｃ型鋼材）が筒状の鋼材結合部材８７によって結合される。基礎材８６と支持支柱８０とは、鋼材結合部材８７を結合ボルト８７ａで固定することで一体となっている。この例では、基礎コンクリート７２の打設時に基礎材８６を所定間隔で埋設し、基礎コンクリート７２の硬化後に支持支柱８０を設ける例としているが、基礎コンクリート７２の打設時に支持支柱８０を埋設してもよい。また、支持支柱８０の構成は、この実施形態に限定されるものではない。
【００４８】
そして、支持支柱８０から地山１００（図３）と反対方向（図の左方向）に離れた位置に軽量盛土用パネル３０が配置されている。軽量盛土用パネル３０の内側の下部には板間パッキング材３５が設けられ、軽量盛土用パネル３０の凹状係合部３２に端部取付金具５０が係合される。端部取付金具５０は、上記第１取付金具１０の下向きに形成された下部係合部１１ａと連結具保持部１３とに相当する部分を有するものである。図示する基礎コンクリート７２の部分では、端部取付金具５０の下部係合部５１ａと連結具保持部５３とを上向きにした状態で使用され、軽量盛土用パネル３０の凹状係合部３２に下部係合部５１ａが係合される。端部取付金具５０は、内側に設けられた連結具保持部５３の保持ボルト孔５５に保持ボルト４１が螺合されて軽量盛土用パネル３０の下部内面に固定される。保持ボルト４１のリング状部４１ａには、セパレートボルト６０のＬ型になった先端部６１が係止されて固定ナット６２（図７）で固定されている。
【００４９】
一方、支持支柱８０の基礎材８６には、水平方向に所定長さのピース状のアングル材８１がＵ字状の固定金具８２（図７）で固定されている。アングル材８１には、下向きに高ナット８３が設けられている。そして、高ナット８３に設けられた貫通孔８４に、上記保持ボルト４１のリング状部４１ａに先端部６１が係止されたセパレートボルト６０の他端が挿通されて調整ナット８５で留め付けられている。セパレートボルト６０は、高ナット８３に設けられたボルト８３ａで上下方向から固定されている。このように、セパレートボルト６０によって、軽量盛土用パネル３０に固定された第１取付金具１０と、軽量盛土用パネル３０から軽量盛土方向に離れて設けられた支持支柱８０と一体の基礎材８６とが連結されている。
【００５０】
このような軽量盛土用パネル３０の取付構造１によれば、セパレートボルト６０の調整ナット８５を位置調整することで、支持支柱８０に対する軽量盛土用パネル３０の位置を決めることができる。取付金具１０（２０も同様）を用いた軽量盛土用パネル３０の取付構造１における横方向の詳細は、以下の中間部の説明において図７で説明する。
【００５１】
次に、図６，７に基づいて上記図３に示す軽量盛土用パネル３０の取付構造１における中間部について説明する。軽量盛土用パネル３０の取付構造１における中間部は、上記図４で説明したように、下側の軽量盛土用パネル３０の上部の凹状係合部３２に第１取付金具１０の下部係合部１１ａが係合される。
【００５２】
そして、連結具保持部１３の保持ボルト孔１５に保持ボルト４１を螺合することで、第１取付金具１０が下側の軽量盛土用パネル３０に固定される。その後、図５の下部と同様に、保持ボルト４１のリング状部４１ａにセパレートボルト６０のＬ型になった先端部６１が係止されて固定ナット６２（図７）で固定される。
【００５３】
一方、支持支柱８０の所定高さには、ピース状のアングル材８１が固定金具８２で固定されている。このアングル材８１には、上向きに高ナット８３が設けられている。この高ナット８３に設けられた貫通孔８４に、セパレートボルト６０の支持支柱８０の方向に延設された他端部が挿通されて調整ナット８５で留め付けられている。セパレートボルト６０は、高ナット８３に設けられたボルト８３ａで上下方向から固定されている。このように、セパレートボルト６０によって、軽量盛土用パネル３０に固定された第１取付金具１０と、軽量盛土用パネル３０から軽量盛土方向に離れて設けられた支持支柱８０とが連結されている。
【００５４】
その後、軽量盛土用パネル３０の横目地部６に板間パッキング材３５が設けられ、上側の軽量盛土用パネル３０の下部の凹状係合部３２が上部係合部１１ｂに係合される。そして、金具固定部１２の固定ボルト孔１４に固定ボルト４０を螺合することで、第１取付金具１０が上側の軽量盛土用パネル３０にも固定される。これにより、第１取付金具１０による上下方向に積み上げられた軽量盛土用パネル３０の位置固定が完了する。この状態で、上下の軽量盛土用パネル３０による面精度は保たれる。
【００５５】
この時、図４に示すように、軽量盛土用パネル３０は凹状係合部３２から内側の高さが外側に比べて小さくなっているため、凹状係合部３２から内側部分の横目地部６に第１取付金具１０と板間パッキング材３５とが挟み込まれた状態で、上下の軽量盛土用パネル３０の外面が連なる状態にできる。
【００５６】
また、図７に示すように、上記支持支柱８０は、左右方向に配置される軽量盛土用パネル３０の縦目地部７の位置付近に設けられている。左右方向に突きつけられる軽量盛土用パネル３０は、それぞれの両端部に第１取付金具１０が取り付けられる。第１取付金具１０は、軽量盛土用パネル３０に取り付けるための加工を行うことなく任意の位置に取り付けることができるので、施工性の向上を図ることができる。
【００５７】
さらに、支持支柱８０に固定金具８２で固定されたアングル材８１には、左右位置に高ナット８３がそれぞれ設けられている。そして、上記保持ボルト４１のリング状部４１ａに先端部６１が係止されたセパレートボルト６０の他端部が、アングル材８１に設けられたそれぞれの高ナット８３の貫通孔８４に挿通され、それぞれ調整ナット８５で留めつけられている。
【００５８】
このように左右方向に配置される軽量盛土用パネル３０を支持支柱８０に留めつける構造は、上述した図５に示す下部及び後述する図６に示す上部も同様である。これにより、セパレートボルト６０の調整ナット８５の締め付け状態を、１本の支持支柱８０の部分で調整することができ、支持支柱８０に対する左右の軽量盛土用パネル３０の位置、傾き、出入り調整などが行える。
【００５９】
このように、第１取付金具１０を介して積み上げられる軽量盛土用パネル３０は、表面の出入りが、第１取付金具１０に固定ボルト４０と保持ボルト４１とを締め付けて軽量盛土用パネル３０に固定することで均一にそろえることができる。また、左右方向の軽量盛土用パネル３０の出入りと、壁面５の全体の出入りは、セパレートボルト６０の支持支柱８０側を留めつけている調整ナット８５の締め付けによって調整することができる。
【００６０】
すなわち、上記した軽量盛土用パネル３０の取付金具１０（２０）を用いた取付構造１によれば、取付金具１０（２０）を介して上下の軽量盛土用パネル３０を積み上げた状態で表面の出入りが一致した状態で適切に固定することができる。よって、上下方向に積み上げられる軽量盛土用パネル３０の出入り調整をする必要がなくなる、そして、軽量盛土用パネル３０によって構築される壁面５の面精度の調整は、左右の軽量盛土用パネル３０の位置調整と壁面５の全体の面調整のみで適切に行うことができる。しかも、この調整作業は、セパレートボルト６０の支持支柱８０側の調整ナット８５によって調整すればよく、施工性の向上を図ることができる。
【００６１】
また、図７に示すように、左右に配置される軽量盛土用パネル３０の縦目地部７には、裏面側に板間封止材３６（縦目地テープ）が取り付けられている。これにより、施工後の水などの流出防止を図れる。なお、軽量盛土が発泡スチロールブロックの場合も、上下の軽量盛土用パネル３０の間に板間パッキング材３５と板間封止材３６を設けて、施工後の水などの流出防止を図ることが好ましい。
【００６２】
さらに、横目地部６を凹状係合部３２同士で接続させることで、気泡モルタル７０が多少流れ出たとしても凹状係合部３２に留めて、軽量盛土用パネル３０の外部に流れ出ることを防ぐことができる。これにより、気泡モルタル７０のエフロエッセンスや水も外部に流れにくくなることから、これらの要因に基づき軽量盛土用パネル３０の外面で形成される壁面５の汚れを防止することができる。
【００６３】
一方、図６に示すように、この軽量盛土用パネル３０の取付構造１における上部は、軽量盛土用パネル３０の上部の凹状係合部３２に端部取付金具５０の下部係合部５１が係合される。端部取付金具５０は、連結具保持部１３の保持ボルト孔１５に保持ボルト４１が螺合されて軽量盛土用パネル３０の上部内面に固定される。この端部取付金具５０も、図５の下部と同じように、保持ボルト４１のリング状部４１ａには、セパレートボルト６０のＬ型になった先端部６１が係止されて固定ナット６２（図７）で固定されている。セパレートボルト６０の他端は、支持支柱８０の方向に延設されて高ナット８３の貫通孔８４に挿通されて調整ナット８５で留められている。セパレートボルト６０は、高ナット８３に設けられたボルト８３ａで上下方向から固定されている。このような上部の端部取付金具５０による取付構造は、図５に示す下部の端部取付金具５０による取付構造とは上下方向が逆になったものであり、構成は同一である。また、左右方向は上記図７と同様であり、詳細な説明は省略する。
【００６４】
（総括）
以上のように、上記第１取付金具１０及び第２取付金具２０を用いることにより、上下方向に積み上げられる軽量盛土用パネル３０について表面の出入り調整を行うことなく適切に積み上げることができ、上下の軽量盛土用パネル３０によって形成される壁面５の面精度の向上も図ることが可能となる。よって、軽量盛土用パネル３０の施工においては、左右の軽量盛土用パネル３０間の出入りと壁面の全体の出入り調整のみ行えばよいので、軽量盛土工法の作業効率向上を図ることが可能となる。
【００６５】
また、軽量盛土用パネル３０に取付金具１０，２０を取り付けるための加工が不要であるため、現場でのパネル加工が必要なく、さらに取付金具１０，２０を横方向に延びる凹状係合部３２の任意の位置に取り付けることが可能であるため、この点でも施工性の向上を図ることが可能となる。
【００６６】
さらに、軽量盛土用パネル３０を押出成形セメント板とすることで、凹状係合部３２を形成した軽量盛土用パネル３０を容易に製造することができる。しかも、軽量盛土用パネル３０の凹状係合部３２同士を取付金具１０，２０で連結することで、例えば、気泡モルタル７０が横目地部６に多少流れ出たとしても、凹状係合部３２内にとどまって軽量盛土用パネル３０の外面まで流れ出すことを抑制することができる。これにより、気泡モルタル７０のエフロエッセンスや水が軽量盛土用パネル３０の外面に流れにくくなり、軽量盛土用パネル３０で形成された壁面５の汚れ防止を図ることができる。
【００６７】
また、上記実施形態では、１枚の金属板材１６，２６を加工して取付金具１０，２０を製作することができるので、軽量盛土用パネル３０の横目地部６に取り付け後の必要な強度を確保しやすく、一体成形による耐久性向上を図ることができる。
【００６８】
（変形例）
軽量盛土用パネル３０としては押出成形セメント板の他、軽量気泡コンクリート板、凹状係合部３２を形成できるものであればよく、ＰＣ板などその他の材質のものを用いることも可能であり、軽量盛土用パネル３０は上記した実施形態に限定されるものではない。
【００６９】
また、軽量盛土用パネル３０として押出成形セメント板を用いた場合、例えば、縦方向の長さを調整した場合でも、凹状係合部３２と同程度の形状（例えば、中空部３１で切断して内側に所定の板厚）が残っていれば、取付金具１０，２０で保持することができる。よって、特別な加工など施すことなく軽量盛土用パネル３０を積み上げる施工ができる。
【００７０】
さらに、上記した凹状係合部３２の形状も上記実施形態に限定されるものではなく、上記実施形態以外の形状でも取付金具１０，２０を係合させて定位置を保持できる形状であれば実施でき、本発明の要旨を損なわない範囲で種々の構成を変更することは可能であり、上記した実施形態に限定されるものではない。
【００７１】
また、上記した実施形態では、セパレートボルト６０に傾斜を持たせて支持支柱８０に取り付けているが、セパレートボルト６０は傾斜を持たせなくても、傾斜の向きを上記実施形態と逆向きとしてもよく、現場の状況、施工性に応じて変更することができる。
【００７２】
さらに、上記した実施形態における高ナット８３に代えて、ピース状のアングル材８１の上面に、さらに２面にボルト孔を開けたピース状のアングル材（図示略）を設けた構成とすることができる。この場合、ピース状のアングル材８１の上面に新たなアングル材の片面のボルト孔にボルトを挿通してナットで取り付け、もう片面のボルト孔にセパレートボルト６０の端部を挿通して調整ナット８５で留め付ければよい。
【符号の説明】
【００７３】
１  取付構造
５  壁面
６  横目地部
１０  第１取付金具
１１  パネル係合部
１１ａ  下部係合部
１１ｂ  上部係合部
１２  金具固定部
１３  連結具保持部
１４  固定ボルト孔
１５  保持ボルト孔
２０  第２取付金具
２１  パネル係合部
２１ｂ  上部係合部
２１ａ  下部係合部
２２  金具固定部
２３  連結具保持部
２５  保持ボルト孔
３０  軽量盛土用パネル
３２  凹状係合部
３３  内面
３５  板間パッキング材
３６  板間封止材
４０  固定ボルト
４１  保持ボルト
５０  端部取付金具
５１  下部係合部
５２  連結具保持部
５３  保持ボルト孔
６０  セパレートボルト（連結具）
７０  気泡モルタル（気泡モルタルコンクリート）
８０  支持支柱（支持部）
８５  調整ナット
Ｈ１  高さ寸法
Ｈ２  高さ寸法
Ｖ  寸法
Ｗ１  間隔
Ｗ２  間隔
【図１】
2019060141.tif 000003
【図２】
2019060141.tif 000004
【図３】
2019060141.tif 000005
【図４】
2019060141.tif 000006
【図５】
2019060141.tif 000007
【図６】
2019060141.tif 000008
【図７】
2019060141.tif 000009